(57)【要約】      （修正有）【課題】フラットベットスキャナ（ＦＢＳ）の前部に設けたカバーと、キャップとの間に原稿が挟まることを防止するとともに、プラテンカバーがキャップの上部に当たることを防止した画像読取装置の提供する。【解決手段】孔部２２が形成された底部２３と、底部２３の周縁に直立に設けられた開口部２０を形成する側壁２４と、からなるキャップ取付部１４を有し、フラットベットスキャナに装着されるカバー１３と、キャップ取付部１４の開口部２０に装着される差込部１８と、開口部２０を覆う蓋部１９と、蓋部１９の外側に差込部１８より突出する突出部２１と、を有するキャップ１７と、を具備し、キャップ１７は、キャップ取付部１４に装着された状態で、蓋部１９の上面がカバー１３の上面の高さと同一である画像読取装置とする。【選択図】図２
2009089063.tif 000002
【特許請求の範囲】
【請求項１】
孔部が形成された底部と、前記底部の周縁に直立に設けられた開口部を形成する側壁と、からなるキャップ取付部を有し、フラットベットスキャナに装着されるカバーと、
前記キャップ取付部の前記開口部に装着される差込部と、前記開口部を覆う蓋部と、前記蓋部の外側に前記差込部より突出する突出部と、を有するキャップと、
を具備し、
前記キャップは、前記キャップ取付部に装着された状態で、前記蓋部の上面が前記カバーの上面の高さと同一であることを特徴とする画像読取装置。
【請求項２】
前記カバーは、フラットベットスキャナの前部に装着されていることを特徴とする請求項１記載の画像読取装置。
【請求項３】
前記キャップ取付部において、前記底部と平行に設けられた底面部と、前記底面部の周縁に設けられた側面部と、からなる段部が前記側壁の上部に形成され、
前記突出部は前記段部の底面部に接することを特徴とする請求項１又は２記載の画像読取装置。
【請求項４】
前記段部の側面部と、前記キャップの蓋部の側面との間に間隙が形成されることを特徴とする請求項３記載の画像読取装置。
【請求項５】
前記段部の側面部に切欠部が設けられていることを特徴とする請求項３記載の画像読取装置。
【発明の詳細な説明】
【技術分野】
【０００１】
本発明は、キャップ装着時にキャップの上面の高さがフラットベットスキャナーに装着されるカバーの上面の高さと同一となるキャップ取付部を設けた画像読取装置の技術に関する。
【背景技術】
【０００２】
従来、記録紙に文字或いは図形等を記録するための画像読取装置として、プリンタ、ファクシミリ、複写機等が知られている（特許文献１参照）。
【０００３】
図４は、従来の画像読取装置３００の斜視図である。画像読取装置３００は、スキャナ３１０と、プラテンカバー３２１と、プリンタ３３０と、多段給紙装置３４０と、を具備し、多段給紙装置３４０より上方に向けて、プリンタ３３０、スキャナ３１０、プラテンカバー３２１の順で配置されている。画像読取装置３００は、ユーザの操作側を画像読取装置３００の前側とすれば、スキャナ３１０の前側にコントロールパネル３５０が配置されている。
【０００４】
スキャナ３１０は、フラットベットスキャナ（ＦＢＳ）である。スキャナ３１０はケーシング上面の中央部にプラテンガラス３１１、左端部にコンタクトガラス３１２が嵌め込まれており、コントロールパネル３５０と接する部分がカバー３１３で覆われている。カバー３１３の上面には複数のキャップ３１４が装着されている。図５は画像読取装置３００のキャップ取付部３１７近傍の概略図である。図５に示すように、カバー３１３には、カバー３１３を装置フレーム３１５に固定するための止め具３１６、及び止め具３１６の上部にほこり等が溜まらないようにするためのキャップ３１４を装着するキャップ取付部３１７が設けられている。
【０００５】
キャップ３１４は、キャップ取付部３１７に装着される差込部３１８と、キャップ取付部３１７を覆う蓋部３１９と、から構成されている。キャップ３１４がキャップ取付部３１７に装着される際、キャップ３１４の蓋部３１９はカバー３１３の上面より高い位置となる。これにより、蓋部３１９の下面と、カバー３１３の上面との間に生じる間隙３２０がカバー３１３上面に形成される。
【特許文献１】特開２００６−３５２６７２号公報
【発明の開示】
【発明が解決しようとする課題】
【０００６】
以上のように、従来の画像読取装置では、フラットベットスキャナ（ＦＢＳ）に設けたカバーのキャップ取付部に装着されたキャップの蓋部は、カバーの上面より高い位置となるため、キャップの蓋部の下面とカバーの上面との間に間隙が生じている。当該間隙には、スキャナに原稿を載せ置く際に原稿が挟まる場合があり、原稿が破れるなどのダメージを受けるという問題があった。
【０００７】
また、プラテンカバーを閉じた際、キャップの蓋部がカバーの上面よりも高い位置にあるため、プラテンカバーがキャップの蓋部に当たることでプラテンカバーが浮き上る場合があり、プラテンカバーに設けた自動原稿給送装置（ＡＤＦ）を使用する際に、原稿詰まり或いは画質不良を生じるという問題もあった。
【０００８】
本発明は、かかる問題を解決すべくなされたものであり、フラットベットスキャナ（ＦＢＳ）に設けたカバーと、キャップの蓋部との間に原稿が挟まることを防止するとともに、キャップの蓋部に当たることによるプラテンカバーの浮き上りを防止した画像読取装置の提供を目的とする。
【課題を解決するための手段】
【０００９】
本発明の解決しようとする課題は以上の如くであり、次にこの課題を解決するための手段を説明する。
【００１０】
即ち、第１の発明に係る画像読取装置は、孔部が形成された底部と、前記底部の周縁に直立に設けられた開口部を形成する側壁と、からなるキャップ取付部を有し、フラットベットスキャナに装着されるカバーと、前記キャップ取付部の前記開口部に装着される差込部と、前記開口部を覆う蓋部と、前記蓋部の外側に前記差込部より突出する突出部と、を有するキャップと、を具備し、前記キャップは、前記キャップ取付部に装着された状態で、前記蓋部の上面が前記カバーの上面の高さと同一である。
【００１１】
第２の発明に係る画像読取装置は、第１の発明に係る画像読取装置であって、前記カバーは、フラットベットスキャナの前部に装着されている。
【００１２】
第３の発明に係る画像読取装置は、第１又は第２の発明に係る画像読取装置であって、前記キャップ取付部において、前記底部と平行に設けられた底面部と、前記底面部の周縁に設けられた側面部と、からなる段部が前記側壁の上部に形成され、前記突出部は前記段部の底面部に接する。
【００１３】
第４の発明に係る画像読取装置は、第３の発明に係る画像読取装置であって、前記段部の側面部と、前記キャップの蓋部の側面との間に間隙が形成される。
【００１４】
第５の発明に係る画像読取装置は、第３の発明に係る画像読取装置であって、前記段部の側面部に切欠部が設けられている。
【発明の効果】
【００１５】
本発明の効果として、以下に示すような効果を奏する。
【００１６】
第１及び第２の発明においては、キャップは、カバーのキャップ取付部に装着された状態で、キャップの蓋部の上面がカバーの上面の高さと同一となるため、キャップの蓋部（突出部）の下面がカバーの上面より低い位置となり、カバーの上面とキャップの蓋部（突出部）の下面との間に原稿が挟まることを防止するとことができる。また、プラテンカバーを閉じた際に、キャップの蓋部が当たることによるプラテンカバーの浮き上りを防止することができ、プラテンカバーに設けた自動原稿給送装置（ＡＤＦ）を使用する際に、原稿詰まり或いは画質不良を防止することができる。
【００１７】
第３の発明においては、キャップの蓋部の突出部が、キャップ取付部の側壁の上部に形成された段部の底面部に接するため、キャップを安定してキャップ取付部に装着できる。
【００１８】
第４の発明においては、段部の側面部と、キャップの蓋部の側面との間に間隙が形成されるため、この間隙に工具等を差し込むことが可能となり、キャップ取付部に装着したキャップを容易に取り外すことができる。
【００１９】
第５の発明においては、段部の側面部に切欠部が設けられているため、この切欠部に工具等を差し込むことが可能となり、キャップ取付部に装着したキャップを容易に取り外すことができる。
【発明を実施するための最良の形態】
【００２０】
以下、本発明の実施形態に係る画像読取装置１００について図面に基づいて説明する。以下では、ユーザの操作側を画像読取装置１００の前側として説明する。
【００２１】
図１は画像読取装置１００の斜視図である。画像読取装置１００は、スキャナ１と、プラテンカバー２と、プリンタ３と、多段給紙装置４と、を具備し、多段給紙装置４より上方に向けて、プリンタ３、スキャナ１、プラテンカバー２の順で配置されている。画像読取装置１００はユーザの操作側を画像読取装置１００の前側とすれば、スキャナ１の前側にコントロールパネル５が配置されている。
【００２２】
スキャナ１はケーシング上面の中央部にプラテンガラス１１、左端部にコンタクトガラス１２が嵌め込まれている。スキャナ１の内部には、図示せぬミラーキャリッジが副走査方向（画像読取装置１００の左右方向）で移動可能に設けられている。ミラーキャリッジは主走査方向（画像読取装置１００の前後方向）を長手方向とするミラー及び光源を具備する。このため、プラテンガラス１１上に載せられた原稿は、ミラーキャリッジにより主走査方向の一ライン毎の画像が読み取られる。そして、ミラーキャリッジを副走査方向に移動させて読み取ることで、原稿の全面がスキャナ１に読み取られる。このように、スキャナ１はフラットベットスキャナ（ＦＢＳ）として機能する。
【００２３】
スキャナ１はコントロールパネル５と接する部分をカバー１３で覆われている。カバー１３は、画像読取装置１００の前側であって、スキャナ１とコントロールパネル５が接する部分に画像読取装置１００の左右方向に設けられている。カバー１３は、長手方向に複数のキャップ取付部１４が設けられている。
【００２４】
図２はキャップ取付部１４近傍の概略断面図である。カバー１３は装置フレーム１５の上面に設置されており、キャップ取付部１４には止め具１６が装着されている。止め具１６は、キャップ取付部１４に装着されるとともに、スキャナ１の装置フレーム１５の螺子孔にねじ込まれることで、カバー１３をスキャナ１の装置フレーム１５に固定する部材である。キャップ取付部１４には、止め具１６が装着された上からキャップ１７が装着される。
【００２５】
キャップ１７は、差込部１８と、蓋部１９とから構成されている。差込部１８は、キャップ取付部１４に形成される開口部２０に装着される部分である。差込部１８は略円筒形で、一方の端部が蓋部１９と接続されている。蓋部１９は、キャップ取付部１４に形成される開口部２０を覆う部分であり、平面視で円形の部材である。蓋部１９は、外側に差込部１８より突出する突出部２１が形成されている。キャップ１７がキャップ取付部１４に装着されることで、止め具１６の上部に埃等が溜まることを防止できる。
【００２６】
キャップ取付部１４は、中央に止め具１６が装着される孔部２２が形成された底部２３と、底部２３の周縁に直立に設けられた開口部２０を形成する側壁２４と、から構成されている。
【００２７】
底部２３は、カバー１３の上面より低い位置に設けられている。底部２３は平面視で円形であり、内径は、キャップ１７の差込部１８の外径と略等しい。底部２３の中央には孔部２２が設けられている。孔部２２には止め具１６が装着される。
【００２８】
側壁２４は、底部２３の周縁に直立に設けられ、キャップ取付部１４の開口部２０を形成する。側壁２４により形成される開口部２０には、キャップ１７の差込部１８が装着される。側壁２４の上下方向の長さはキャップ１７の差込部１８の長さに略等しく形成される。側壁２４は、上部に段部２５が形成されている。
【００２９】
段部２５は、側壁２４の上部に設けられる部分であり、キャップ１７の蓋部１９の突出部２１の下面が載せ置かれる部分である。段部２５は、底部２３と平行に設けられた底面部２６と、底面部２６の周縁に設けられた側面部２７と、から形成されている。段部２５の上下方向の深さはキャップ１７の蓋部１９（突出部２１）の厚さに略等しい。また、段部２５の内径は蓋部１９の外径よりやや大きくなっている。これにより、キャップ１７をキャップ取付部１４に装着した際に、蓋部１９（突出部２１）の側面と段部２５の側面部２７との間に間隙２８が生じる。間隙２８が生じることで、マイナスドライバー等の工具等を差し込むことができ、装着したキャップ１７が取り外し易くなる。
【００３０】
また、上述のように、開口部２０の上下方向の長さはキャップ１７の長さに略等しく、段部２５の側面部２７の高さはキャップ１７の蓋部１９（突出部２１）の厚さに略等しいため、キャップ１７をキャップ取付部１４に装着した状態では、キャップ１７の蓋部１９の上面は、カバー１３の上面の高さと同一となる。
【００３１】
以上説明した本実施の形態に係る画像読取装置１００によれば、キャップ１７は、カバー１３のキャップ取付部１４に装着された状態で、キャップ１７の蓋部１９の上面がカバー１３の上面の高さと同一となるため、キャップ１７の蓋部１９の下面がカバー１３の上面より低い位置となり、カバー１３の上面とキャップ１７の蓋部１９（突出部２１）の下面との間に原稿が挟まることを防止するとことができる。また、プラテンカバー２を閉じた際に、キャップ１７の蓋部１９が当たることによるプラテンカバー２の浮き上りを防止することができ、プラテンカバー２に設けた自動原稿給送装置（ＡＤＦ）を使用する際に、原稿詰まり或いは画質不良を防止することができる。さらに、カバー１３の上面に凹凸がなくなり見栄えを良くすることができる。
【００３２】
さらにまた、キャップ１７の蓋部１９の突出部２１が、キャップ取付部１４の側壁２４の上部に形成された段部２５の底面部２６に接するため、キャップ１７を安定してキャップ取付部１４に装着できる。段部２５の側面部２７と、キャップ１７の蓋部１９（突出部２１）の側面との間に間隙２８が形成されるため、間隙２８に工具等を差し込むことが可能となり、キャップ取付部１４に装着したキャップ１７を容易に取り外すことができる。
【００３３】
次に、他の実施例である画像読取装置２００について説明する。尚、画像読取装置２００の各構成は、キャップ取付部１４の段部２５の構成を除き、画像読取装置１００と同様であるため、同じ構成については説明を省略する。
【００３４】
図３は、画像読取装置２００のキャップ取付部１４近傍の斜視図である。画像読取装置２００は、画像読取装置１００と同様に、スキャナ１とコントロールパネル５が接する部分に設けたカバー１３上にキャップ取付部１４を有する。
【００３５】
キャップ取付部１４は、中央に止め具１６が装着される孔部２２が形成された底部２３（図示せず）と、底部２３の周縁に直立に設けられた開口部２０を形成する側壁２４と、から構成されている。側壁２４は、上部にキャップ１７の蓋部１９の突出部２１を載せ置くように形成された段部２５が形成されている。
【００３６】
段部２５の上下方向の深さはキャップ１７の蓋部１９（突出部２１）の厚さに略等しい。また、段部２５の内径は蓋部１９の外径と略同一である。さらに段部２５の側面部２７の一部に切欠部２９が設けられている。
【００３７】
切欠部２９は円弧状に形成されている。段部２５の側面部２７に切欠部２９を設けることで、マイナスドライバー等の工具等を切欠部２９に差し込むことができ、装着したキャップ１７を容易に取り外すことができる。切欠部２９の形状は円弧状に限定されるものではなく、工具等を差し込むことができれば他の形状であってもよい。また、切欠部２９は、段部２５の外周に１つのみならず、複数設けても構わない。
【００３８】
以上説明した本実施の形態に係る画像読取装置２００によれば、段部２５の側面部２７に切欠部２９が設けられているため、切欠部２９に工具等を差し込むことが可能となり、キャップ取付部１４に装着したキャップ１７を容易に取り外すことができる。
【図面の簡単な説明】
【００３９】
【図１】本発明の実施形態に係る画像読取装置１００の斜視図。
【図２】画像読取装置１００のキャップ取付部１４近傍の概略図。
【図３】画像読取装置２００のキャップ取付部１４近傍の斜視図。
【図４】従来の画像読取装置３００の斜視図。
【図５】画像読取装置３００のキャップ取付部３１７近傍の概略図。
【符号の説明】
【００４０】
１      スキャナ（フラットベットスキャナ）
１３    カバー
１４    キャップ取付部
１５    装置フレーム
１６    止め具
１７    キャップ
１８    差込部
１９    蓋部
２０    開口部
２１    突出部
２２    孔部
２３    底部
２４    側壁
２５    段部
２８    間隙
１００  画像読取装置
【図１】
2009089063.tif 000003
【図２】
2009089063.tif 000004
【図３】
2009089063.tif 000005
【図４】
2009089063.tif 000006
【図５】
2009089063.tif 000007